(57)【特許請求の範囲】
【請求項１】
複合同期信号を水平および垂直同期に分離して水平同期信号および垂直同期信号を出力する同期信号処理回路であって、
前記垂直同期であると判断して前記垂直同期信号を出力した後、所定時間内に再度垂直同期を判別した場合でも、予め設定した水平ライン数に対応する期間は該再度判別された垂直同期をマスクして出力しないマスク手段と、
前記垂直同期信号を出力した後のマスク期間において、前記複合同期信号の中に垂直同期が存在するかどうかをサンプリングし、該垂直同期が存在した場合に該垂直同期が存在した位置を保持するサンプリング保持手段と、
前記垂直同期信号を出力した後のマスク期間において垂直同期が存在した位置と、該マスク期間の次のマスク期間において垂直同期が存在した位置とを比較し、ｎ（ｎ：２以上の整数）フレーム連続して前記垂直同期が存在した位置が一致した場合には、ｎ＋１フレームにおいて、前記ｎフレーム連続して存在した複合同期信号の垂直同期部分に同期した前記垂直同期信号に切り換える切り換え手段とを備えることを特徴とする同期信号処理回路。
【請求項２】
複合同期信号から水平同期信号を分離する水平同期信号分離手段と、
前記複合同期信号から垂直同期信号を分離する垂直同期信号分離手段と、
該垂直同期信号分離手段により垂直同期信号を分離出力した後、予め設定したマスク期間は当該垂直同期信号分離手段の出力をマスクするマスク手段と、
前記予め設定したマスク期間において、前記垂直同期信号分離手段により垂直同期信号が分離出力されるかどうかをサンプリングし、該垂直同期信号が分離出力された場合に該垂直同期信号が分離出力された位置を保持するサンプリング保持手段と、
前記予め設定したマスク期間において垂直同期信号が分離出力された位置と、該マスク期間の次のマスク期間において垂直同期信号が分離出力された位置とを比較し、ｎ（ｎ：２以上の整数）フレーム連続して前記垂直同期信号が分離出力された位置が一致した場合には、ｎ＋１フレームにおいて、前記ｎフレーム連続して分離出力された垂直同期信号に同期した前記垂直同期信号に切り換える切り換え手段とを備えることを特徴とする同期信号処理回路。
【請求項３】
複合同期信号から水平同期信号を分離する水平同期信号分離手段と、
前記複合同期信号から垂直同期信号を分離する垂直同期信号分離手段と、
該垂直同期信号分離手段による垂直同期信号が所定の期間内で分離されない場合を検出する検出手段と、
前記垂直同期信号が所定の期間内で分離されない場合、前記水平同期信号分離手段による１水平同期期間を所定数カウントして内部垂直同期信号を生成する内部垂直同期信号生成手段と、
前記垂直同期信号が所定の期間内で分離されない場合でも、前記垂直同期信号分離手段の出力を監視する監視手段と、
前記垂直同期信号が所定の期間内で分離されない場合には前記内部垂直同期信号を選択して出力し、且つ、該内部垂直同期信号が選択された後、前記監視手段により前記垂直同期信号分離手段の出力が予め定められたフレーム数だけ連続してフレーム内の同じ位置に検出された場合には該垂直同期信号分離手段の出力を選択して出力する選択手段とを備えることを特徴とする同期信号処理回路。
【請求項４】
請求項１〜３のいずれか１項に記載の同期信号処理回路と、画像表示部とを備えることを特徴とする表示装置。
【発明の詳細な説明】
【０００１】
【発明の属する技術分野】
本発明は同期信号処理回路および表示装置に関し、特に、テレビジョン放送やビデオ装置（ＶＴＲ）等からのビデオ信号に含まれる複合同期信号（ＣＳＹＮＣ）から水平同期信号（ＨＳＹＮＣ）および垂直同期信号（ＶＳＹＮＣ）を分離して出力する同期信号処理回路に関する。
【０００２】
近年、例えば、ダイバーシティアンテナを用いて車内でテレビジョン放送を液晶表示装置等に表示するカーテレビジョンシステムやテレビ付きカーナビゲーション装置が使用されるようになって来ている。このようなダイバーシティアンテナを用いたテレビ付きカーナビゲーション装置等では、例えば、ダイバーシティアンテナの切り換えノイズ等により映像の同期乱れが生じている。さらに、例えば、ＶＴＲで画像を再生しながらテープを早送りする場合等においても、同期が取れずに画像の乱れが生じる問題がある。そこで、ダイバーシティアンテナの切り換えノイズやＶＴＲの画像再生時の早送り操作等による映像の同期乱れを防止することができる同期信号処理回路および表示装置の提供が要望されている。
【０００３】
【従来の技術】
図１は同期信号処理回路が適用される液晶表示システムの一例を概略的に示すブロック図であり、例えば、車に搭載されるカーテレビジョンシステムの一例を示すものである。図１において、参照符号１はＴＶチューナー、２はＲＧＢデコーダ、３は液晶表示ユニット、４はオンスクリーン制御回路、５は映像信号合成回路、１０はＶＴＲ、そして、１１はアンテナ（ダイバーシティアンテナ）を示している。ここで、液晶表示ユニット３は、液晶表示部（画像表示部）３１と同期信号処理および液晶制御部３２とを備えて構成されている。なお、本発明が対象とする同期信号処理回路は、同期信号処理および液晶制御部３２に含まれる。
【０００４】
図１に示されるように、ＴＶチューナー１或いはＶＴＲ１０からのビデオ信号（複合同期信号＋映像信号）は、ＲＧＢデコーダ２に供給され、映像信号（ＲＧＢ）および複合同期信号（ＣＳＹＮＣ）に分離される。
ＲＧＢデコーダ２からの映像信号ＲＧＢは、映像信号合成回路５に供給され、オンスクリーン制御回路４からのオンスクリーン用の映像信号と合成され、さらに、映像信号合成回路５により合成された映像信号ＲＧＢ’は、液晶表示ユニット３の液晶表示部３１に供給される。そして、液晶表示部３１の表示画面（ＬＣＤ）上には、ＴＶチューナー１等による映像（３１１）と共に、オンスクリーン制御回路４によるオンスクリーン画像（３１２）が表示されるようになっている。
【０００５】
ＲＧＢデコーダ２からの複合同期信号ＣＳＹＮＣは、液晶表示ユニット３の同期信号処理および液晶制御部３２に供給され、複合同期信号ＣＳＹＮＣに同期した水平同期信号ＨＳＹＮＣおよび垂直同期信号ＶＳＹＮＣが出力される。ここで、同期信号処理および液晶制御部３２から出力された水平同期信号ＨＳＹＮＣおよび垂直同期信号ＶＳＹＮＣは、例えば、オンスクリーン制御回路４に供給され、ＲＧＢデコーダ２からの映像信号と同期したオンスクリーン用の映像信号が生成され、映像信号合成回路５において同期を保持しつつ合成される。
【０００６】
同期信号処理および液晶制御部３２は、液晶表示部３１を駆動する各種の制御信号を出力し、映像信号合成回路５の出力ＲＧＢ’に応じた映像を液晶表示部３１に表示させる。ここで、液晶表示部３１には、例えば、ＴＶチューナー１の出力に応じた映像（３１１）と共に、オンスクリーン画像（３１２）も一緒に表示されるようになっている。
【０００７】
【発明が解決しようとする課題】
図２および図３は  従来の同期信号処理回路における課題を説明するためのタイミング図であり、図３は図２を時間方向に縮めて垂直カウンタリセット信号（ＶＤ２Ｈ）と共に示すものである。
図２および図３に示されるように、例えば、垂直同期信号ＶＳＹＮＣ（ＶＳＹＮＣ０）は、複合同期信号ＣＳＹＮＣにおける３Ｈ（３水平同期期間）を積分することで得るようになっている。しかしながら、例えば、ＴＶチューナー１がテレビジョン放送を受信中にダイバーシティアンテナ１１の切り換えが行われると、このアンテナの切り換えノイズを垂直同期信号ＶＳＹＮＣ（ＶＳＹＮＣ１）として誤って認識する恐れがある。すなわち、１垂直同期期間（１Ｖ：１フレーム）内で２つの垂直同期信号ＶＳＹＮＣ（ＶＳＹＮＣ０，ＶＳＹＮＣ１）を検出して２つの垂直カウンタリセットパルスＶ−ＲＳＴ（Ｖ−ＲＳＴ０，Ｖ−ＲＳＴ１）が出力され、その結果、垂直カウンタが１垂直同期期間１Ｖ内で２回リセット（すなわち、垂直カウンタリセットパルスＶ−ＲＳＴの立ち下がりタイミイング（垂直カウンタリセットＶＤ２Ｈ）でリセット）されることになる。
【０００８】
図４は従来の同期信号処理回路における課題を説明するための図である。図４において、参照符号３３１は、液晶表示部３１の外部に設けられたスイッチを示している。ここで、液晶表示部３１のオンスクリーン画像３１２は、スイッチ３３１と対応しており、例えば、各スイッチの機能を表示するようになっている。しかしながら、上述したように、例えば、ダイバーシティアンテナ１１の切り換え等により１垂直同期期間（１Ｖ）内に複数（例えば、２つ）の垂直同期信号（ＶＳＹＮＣ０，ＶＳＹＮＣ１）を検出した場合、オンスクリーン画像３１２は、例えば、液晶表示部３１において上下に揺れたりしてスイッチ３３１と液晶表示部３１のオンスクリーン画像３１２とがずれたり乱れたりすることがあった。或いは、ＶＴＲ１０で画像を再生しながらテープを早送りする場合等においても、１垂直同期期間内に複数の垂直同期信号を検出して液晶表示部３１の映像に同期乱れが生じることがあった。
【０００９】
このように、従来のカーテレビジョンシステムやテレビ付きカーナビゲーション装置において、水平同期信号ＨＳＹＮＣおよび垂直同期信号ＶＳＹＮＣは、単に複合同期信号ＣＳＹＮＣから分離して得るようになっているため、例えば、ダイバーシティアンテナの切り換えやＶＴＲの画像再生時の早送り操作等によるノイズが複合同期信号ＣＳＹＮＣに混入すると、その複合同期信号ＣＳＹＮＣの１フレーム中に複数回の垂直同期が含まれていると誤って判別してしまうことがあった。その結果、正常な周期の水平／垂直同期が判別或いは分離出力できなくなり、同期乱れが発生して正常な映像を表示できないことになっていた。
【００１０】
本発明は、上述した従来の技術における課題に鑑み、複合同期信号中に不要なパルス等が混入した場合でも、その影響を受けることなく水平および垂直同期信号を分離出力して映像の同期乱れを防止することができる同期信号処理回路および表示装置の提供を目的とする。
【００１１】
【課題を解決するための手段】
本発明に係る同期信号処理回路は、複合同期信号を水平および垂直同期に分離して水平同期信号および垂直同期信号を出力するものであり、マスク手段を備えている。このマスク手段は、垂直同期であると判断して垂直同期信号を出力した後、所定時間内に再度垂直同期を判別した場合でも、予め設定した水平ライン数に対応する期間は該再度判別された垂直同期をマスクして出力しないようになっている。
【００１２】
本発明に係る表示装置は、上述の同期信号処理回路、および、画像表示部（例えば、液晶表示部）を備えている。
同期信号処理回路は、さらに、サンプリング保持手段および切り換え手段を備える。サンプリング保持手段は、垂直同期信号を出力した後のマスク期間において、複合同期信号の中に垂直同期が存在するかどうかをサンプリングしその値を保持する。切り換え手段は、ｎを２以上の整数とし、マスク期間にｎフレーム連続して複合同期信号中に垂直同期が存在した場合には、ｎ＋１フレーム目においてその複合同期信号から分離された垂直同期信号をマスクせずに出力するようになっている。
【００１３】
すなわち、本発明は、複合同期信号をデジタル的に積分し、垂直同期分離パルス（垂直同期信号ＶＳＹＮＣ）が１フレーム（１フィールド、１垂直同期期間１Ｖ）中に複数回得られたとしても、最初のパルスを垂直同期部分として使用する。さらに、最初のパルスが誤判別で複合同期信号の垂直同期部分ではない時は、マスク期間内に得られる垂直同期パルスでライン数を内部レジスタに記憶し、第２フレームで同様に垂直同期パルスが立った値と比較して一致した場合には、第３フレームで複合同期信号に対する外部垂直同期信号の位相を変える。
【００１４】
これにより、例えば、テレビ付きカーナビゲーション装置を使用中に、ビルの間や山間部等でＴＶ信号の受信状態が弱くなってダイバーシティアンテナがより電波の強い複数本の１本に垂直同期期間中に切り換わる時や、ＶＴＲで画像を再生しながらテープを早送りする場合等において、ノイズが頻繁に複合同期信号内に混在した場合であっても判別信号出力をマスクすることによりノイズ部分を垂直同期信号であると誤判別しなくなる。
【００１５】
【発明の実施の形態】
以下、本発明に係る同期信号処理回路および表示装置の実施例を図面を参照して詳述する。
図５は本発明に係る同期信号処理回路の一実施例を示すブロック図であり、図６〜図８は図５の同期信号処理回路の動作を説明するためのタイミング図である。
【００１６】
図５において、参照符号１００は同期信号処理回路、１０１は水平同期信号分離回路、１０２は垂直同期信号分離回路、１０３はラインカウンタ、１０４は波形成形器、１０５はメモリレジスタ、１０６は比較器、１０７はラインマスク信号生成回路、そして、１０８は論理ゲート（ＡＮＤゲート）を示している。ここで、同期信号処理回路１００は、前述した図１の液晶表示システムにおける同期信号処理および液晶制御部３２に含まれる。
【００１７】
図５に示されるように、本実施例の同期信号処理回路１００は、従来の同期信号処理回路に設けられる水平同期信号分離回路１０１および垂直同期信号分離回路１０２に加えて、ラインカウンタ１０３、波形成形器１０４、メモリレジスタ１０５、比較器１０６、ラインマスク信号生成回路１０７、および、ＡＮＤゲート１０８を備えて構成される。
【００１８】
水平同期信号分離回路１０１は、ＲＧＢデコーダ（２）からの複合同期信号ＣＳＹＮＣを受け取って信号Ｓ１（水平同期信号ＨＳＹＮＣ）を分離出力し、また、垂直同期信号分離回路１０２は、複合同期信号ＣＳＹＮＣを受け取って信号Ｓ２（垂直同期信号ＶＳＹＮＣ）を分離出力する。ラインカウンタ１０３は、水平同期信号分離回路１０１の出力信号Ｓ１（垂直カウンタ用パルスＣＳ１，ＣＳ２）を受け取ってそのパルス数をカウントし、カウント値（Ｓ３）をラインマスク信号生成回路１０７に供給する。ラインマスク信号生成回路１０７は、垂直同期分離回路１０２からのパルス（出力Ｓ２）が１フレームに１回通過すると設定されているライン数間（水平ラインに対応する期間）は垂直同期分離回路１０２の出力（Ｓ２）が波形成形器１０４に入力（Ｓ８）するのを抑制し、ラインカウンタ１０３のリセットおよび波形成形器１０４のセットの誤動作を防止する。ここで、ラインカウンタ１０３は、垂直同期信号分離回路１０２の出力信号Ｓ２（ラインカウンタリセットパルスＲＳＴ）によりリセットされるようになっている。
【００１９】
本実施例の同期信号処理回路の動作の概略を説明すると、まず、図５および図６に示されるように、ラインカウンタ１０３の出力Ｓ３（カウント値：水平同期信号ＨＳＹＮＣをカウントして得られた垂直同期信号ＶＳＹＮＣ）は、ラインマスク信号生成回路１０７に供給され、垂直同期信号分離回路１０２の出力Ｓ２（複合同期信号ＣＳＹＮＣから得られた垂直同期信号ＶＳＹＮＣ）が１フレーム（１フィールド：１垂直同期期間）に１回通過すると設定されているライン数間（例えば、１９０水平同期期間：１９０Ｈ）は垂直同期信号分離回路１０２の出力が波形成形器１０４に供給されるのを抑制（マスク）するようになっている。
【００２０】
すなわち、垂直同期信号分離回路１０２が複合同期信号ＣＳＹＮＣから垂直同期信号ＶＳＹＮＣを分離出力すると、例えば、ダイバーシティアンテナの切り換えノイズ等による誤った垂直同期信号によるラインカウンタ１０３のリセット等の誤動作を防止するために、その後の所定期間（例えば、１９０Ｈの期間）だけ垂直同期信号分離回路１０２の出力信号Ｓ２がＡＮＤゲート１０８によりマスクされる。具体的に、垂直同期信号分離回路１０２が垂直同期信号ＶＳＹＮＣを分離出力した後の１９０Ｈの期間、ＡＮＤゲート１０８の負論理入力Ｓ７（ラインマスク信号生成回路１０７の出力ＶＤ２Ｈ）が高レベル“Ｈ”となって、垂直同期信号分離回路１０２の出力Ｓ２はマスクされる。
【００２１】
次に、図５および図７に示されるように、例えば、垂直同期信号分離回路１０２が複合同期信号ＣＳＹＮＣから垂直同期信号ＶＳＹＮＣを分離出力することができない場合（欠落の場合）には、例えば、ラインカウンタ１０３で水平同期信号ＨＳＹＮＣを所定数（例えば、５２２回）だけカウントし、その得られた垂直同期信号ＶＳＹＮＣ（Ｓ３）を波形成形して出力する。このとき、同時に、垂直同期信号分離回路１０２で複合同期信号ＣＳＹＮＣから分離出力される信号Ｓ２（垂直同期信号ＶＳＹＮＣ）も監視されるようになっており、例えば、その監視された垂直同期信号ＶＳＹＮＣ（垂直同期信号分離回路１０２の出力信号Ｓ２））が３フレーム分連続して正しく出力されている場合には、ラインカウンタ１０３で水平同期信号ＨＳＹＮＣのパルス数をカウントして得られた出力Ｓ３（ＶＳＹＮＣ）を複合同期信号から分離された垂直同期信号ＶＳＹＮＣに切り換えるようになっている。
【００２２】
すなわち、複合同期信号ＣＳＹＮＣから分離出力された垂直同期信号ＶＳＹＮＣ（Ｓ２）が欠落していると、垂直カウンタリセットパルスＶ−ＲＳＴ０は出力されないので、水平同期信号ＨＳＹＮＣを所定数だけカウントして得られた内部の垂直同期信号ＶＳＹＮＣ（Ｓ３）に基づいた垂直カウンタリセット信号ＶＤ２ＨＳＴＲ０，ＶＤ２ＨＳＴＲ１，…が使用される。このとき、複合同期信号ＣＳＹＮＣから分離出力される垂直同期信号ＶＳＹＮＣ（垂直カウンタリセットパルスＶ−ＲＳＴ）も監視されており、例えば、３フレーム分連続して垂直カウンタリセットパルスＶ−ＲＳＴ１〜Ｖ−ＲＳＴ３が出力されていると、それまでの内部の垂直同期信号に基づいた垂直カウンタリセット信号ＶＤ２ＨＳＴＲ３から、複合同期信号から分離出力される垂直同期信号に基づいた垂直カウンタリセットパルスＶ−ＲＳＴ４に切り換えられることになる。
【００２３】
さらに、図５および図８に示されるように、例えば、垂直同期信号分離回路１０２が複合同期信号ＣＳＹＮＣから分離出力した垂直同期信号ＶＳＹＮＣがずれた場合も、例えば、ラインカウンタ１０３により水平同期信号ＨＳＹＮＣを所定数だけカウントして得られた内部の垂直同期信号ＶＳＹＮＣ（Ｓ３）を用いて垂直同期を取ることになる。
【００２４】
すなわち、複合同期信号ＣＳＹＮＣからの垂直同期信号ＶＳＹＮＣがずれた位置に出力されていると、垂直カウンタリセットパルスＶ−ＲＳＴ０は出力されないので、上述した欠落の場合と同様に、水平同期信号ＨＳＹＮＣを所定数だけカウントして得られた内部の垂直同期信号に基づいた垂直カウンタリセット信号ＶＤ２ＨＳＴＲ０，ＶＤ２ＨＳＴＲ１，…が使用される。このときも、複合同期信号ＣＳＹＮＣから分離出力される垂直同期信号ＶＳＹＮＣ（垂直カウンタリセットパルスＶ−ＲＳＴ）が監視されており、例えば、３フレーム分連続して垂直カウンタリセットパルスＶ−ＲＳＴ１〜Ｖ−ＲＳＴ３が出力されていると、それまでの内部の垂直同期信号に基づいた垂直カウンタリセット信号ＶＤ２ＨＳＴＲ３から、複合同期信号から分離出力される垂直同期信号に基づいた垂直カウンタリセットパルスＶ−ＲＳＴ４に切り換えられることになる。ここで、垂直カウンタリセットパルス（Ｖ−ＲＳＴ１〜Ｖ−ＲＳＴ３）が連続して出力されるフレーム数は、３フレームに限定されるものではなく、例えば、２以上の様々なフレーム数に設定することができる。
【００２５】
なお、本発明の表示装置は、上述した同期信号処理回路、および、画像表示部（例えば、液晶表示部３１）を備える。
以下、本実施例の同期信号処理回路の各構成および動作を詳述する。
図９は図５の同期信号処理回路における水平同期信号分離回路１０１の一例を示すブロック図であり、図１０は図８の水平同期信号分離回路の動作を説明するためのタイミング図である。
【００２６】
図９に示されるように、水平同期信号分離回路１０１は、位相検波器１１１、電圧制御発振器（ＶＣＯ）１１２、水平カウンタ１１３，１１４、および、波形成形器１１５を備えて構成されている。図１０に示されるように、水平カウンタ１１３は、１水平同期期間１Ｈに１回のパルスを有する出力ＣＳ１を出力し、また、水平カウンタ１１４は、１水平同期期間１Ｈに２回のパルスを有する出力ＣＳ２を出力するようになっている。これら水平カウンタ１１３および１１４の出力ＣＳ１，ＣＳ２（垂直カウンタ用パルス）は、ラインカウンタ１０３に供給される。ここで、水平カウンタ１１３の出力ＣＳ１は、波形成形器１１５により波形成形され、水平同期信号ＨＳＹＮＣとして外部に出力されることになる。
【００２７】
図１１は図５の同期信号処理回路における垂直同期信号分離回路１０２の一例を示すブロック図であり、図１２は図１１の垂直同期信号分離回路の動作を説明するためのタイミング図である。
図１１に示されるように、垂直同期信号分離回路１０２は、例えば、積分回路として構成され、アップダウンカウンタ（ＵＰ／ＤＯＷＮカウンタ）１２１およびカウンタ１２２を備えている。ＵＰ／ＤＯＷＮカウンタ１２１は、カウンタ１２２により垂直同期信号ＶＳＹＮＣが分離出力されると、リセットされるようになっている。垂直同期信号分離回路１０２は、複合同期信号ＣＳＹＮＣの垂直同期信号部分（３Ｈ）を検出して、垂直同期信号ＶＳＹＮＣ（ラインカウンタリセットパルスＲＳＴ）を分離出力するもので、ＵＰ／ＤＯＷＮカウンタ１２１の出力ＣＳ３およびラインカウンタリセットパルスＲＳＴは、図１２に示されるような波形となる。なお、垂直同期信号分離回路１０２の出力Ｓ２は、前述した図５に示されるように、ラインカウンタ１０３、メモリレジスタ１０５およびラインマスク信号生成回路１０７に供給されると共に、ＡＮＤゲート１０８を介して波形成形器１０４に供給されている。ここで、ラインマスク信号（Ｓ７）が出力されてラインマスクが行われている時においても、複合同期信号ＣＳＹＮＣはＵＰ／ＤＯＷＮカウンタ１２１に入力されカウンタ１２２を動かして垂直同期の判別を行っている。
【００２８】
図１３は図５の同期信号処理回路におけるラインカウンタ１０３、メモリレジスタ１０５および比較器１０６の一例を示すブロック図であり、図１４は図１３のラインカウンタ、メモリレジスタおよび比較器の動作を説明するためのタイミング図である。
図１３に示されるように、ラインカウンタ１０３は、垂直方向制御用ラインカウンタ１３１およびメモリ用ラインカウンタ１３２を備えている。垂直方向制御用ラインカウンタ１３１には、水平同期信号分離回路１０１における水平カウンタ１１３の出力ＣＳ１および垂直同期信号分離回路１０２からのラインカウンタリセットパルスＲＳＴ（Ｓ２）が供給され、また、メモリ用ラインカウンタ１３２には、水平同期信号分離回路１０１における水平カウンタ１１４の出力ＣＳ２およびラインカウンタリセットパルスＲＳＴが供給されている。従って、垂直方向制御用ラインカウンタ１３１は、１水平同期期間（１Ｈ）に１回カウントアップし、また、メモリ用ラインカウンタ１３２は、１水平同期期間に２回カウントアップする。
【００２９】
メモリレジスタ１０５は、プリセット用のＤフリップフロップ１５１、セレクタ１５２およびセット用のＤフリップフロップ１５３を備えている。Ｄフリップフロップ１５１のＤ入力には、メモリ用ラインカウンタ１３２の出力Ｓ３０が供給され、そのイネーブル入力に供給されたスタートパルスＶ−ＲＳＴＳ（図６の垂直カウンタリセットパルスＶ−ＲＳＴの立ち上がりタイミングで出力されるパルス）に応じて取り込んで保持するようになっている。セレクタ１５２は、制御信号ＳＳに応じて、例えば、スイッチオン時および最初の垂直同期期間に固定値（５２２）を選択し、その他の場合にはフリップフロップ１５１の出力を選択して出力するようになっている。Ｄフリップフロップ１５３のＤ入力には、セレクタ１５２の出力が供給され、そのイネーブル入力に供給されたラインカウンタリセットパルスＲＳＴ（Ｓ２）に応じて取り込んで保持するようになっている。なお、フリップフロップ１５１および１５３は、例えば、１０ビットの値を処理するためにそれぞれ１０個ずつ設けられている。
【００３０】
比較器１０６は、例えば、マグニチュードコンパレータにより構成され、入力Ｓ３０（メモリ用ラインカウンタ１３２の出力）と入力Ｓ５（フリップフロップ１５３の出力）が等しいときに（Ｓ３０＝Ｓ５）、パルスを出力する。なお、メモリレジスタ１０５の出力Ｓ５は、スタートパルスＶ−ＲＳＴＳおよびラインカウンタリセットパルスＲＳＴに応じて取り込まれたメモリ用ラインカウンタ１３２の出力（カウント値）、或いは、固定値（５２２）となっている。
【００３１】
これにより、図１４に示されるように、例えば、メモリ用ラインカウンタ１３２が５２２までカウントすると、疑ＵＰ／ＤＯＷＮカウント出力ＣＳ３’が出力され、そして、疑ラインカウンタリセットパルスＲＳＴ’が出力されることになる。なお、疑ラインカウンタリセットパルスＲＳＴ’は、正規のラインカウンタリセットパルスＲＳＴよりも後のタイミングで出力されるようになっている。
【００３２】
ここで、複合同期信号ＣＳＹＮＣ内に垂直同期信号が有ると判断されると、垂直同期分離回路（１０２）より常時パルスが出力され、そのパルスが出力された位置（ラインカウンタ１０３の数）がメモリレジスタ１０５に格納される。値が格納されたフレームを第１フレームとすれば、第２フレームにおいてもラインマスク期間内に垂直同期信号が有ると判断し、垂直同期分離回路（１０２）からパルスが出力されたラインカウンタ１０３の値と第１フレームでメモリレジスタ１０５に格納した値とを比較器１０６で比較し、一致すると第３フレームではラインマスク信号Ｓ７の動作抑制を行って、垂直同期が判別でき垂直同期分離からパルスが出力される度にラインカウンタ１０３をリセットして垂直同期信号ＶＳＹＮＣを出力する。
【００３３】
図１５は図５の同期信号処理回路におけるラインマスク信号生成回路１０７の一例を示すブロック図である。
図１５に示されるように、ラインマスク信号生成回路１０７は、ＡＮＤゲート１７１およびＪＫフリップフロップ１７２を備えて構成される。ＡＮＤゲート１７１には、比較器１０６の出力Ｓ６および垂直同期信号分離回路１０２の出力Ｓ２が供給され、このＡＮＤゲート１７１の出力がフリップフロップ１７２のＪ入力に供給されている。フリップフロップ１７２のＫ入力には、ラインカウンタの出力Ｓ３が供給され、また、クロック入力ＣＫにはクロック信号が供給されるようになっている。ここで、Ｋ入力に供給されるラインカウンタの出力Ｓ３は、例えば、１９０Ｈをカウントした信号であり、フリップフロップ１７２の出力Ｓ７は、１９０Ｈのマスク信号（図６のＶＤ２Ｈ参照）となる。
【００３４】
フリップフロップ１７２の出力Ｓ７は、ＡＮＤゲート１０８の負論理入力に供給され、高レベル“Ｈ”の間（１９０Ｈの期間）ＡＮＤゲート１０８の正論理入力に供給された垂直同期信号分離回路１０２の出力Ｓ２をマスクするようになっている。
以上において、マスク期間は、１９０Ｈに限定されるものではなく、様々な値とすることができ、また、セレクタ１５２に設定する固定値（５２２）も適宜変更することができる。さらに、例えば、図５に示すラインカウンタ１０３、波形成形器１０４、メモリレジスタ１０５、比較器１０６、ラインマスク信号生成回路１０７および論理ゲート１０８等の構成は様々に変形することができるのはいうまでもない。
【００３５】
上述したように、本発明の同期信号処理回路の各実施例によれば、車等の移動体の環境下で頻繁に起こるアンテナの切り換えの際に生じる不要なパルスや、ＶＴＲ再生時における早送り等の際に生じる不要なパルスにより同期信号処理回路が誤動作するという従来の問題を解消することができ、同期信号処理回路としての精度を向上させることが可能となる。
【００３６】
【発明の効果】
以上、詳述したように、本発明によれば、複合同期信号中に不要なパルス等が混入した場合でも、その影響を受けることなく水平および垂直同期信号を分離出力することのできる同期信号処理回路および表示装置を提供することができる。
【図面の簡単な説明】
【図１】同期信号処理回路が適用される液晶表示システムの一例を概略的に示すブロック図である。
【図２】従来の同期信号処理回路における課題を説明するためのタイミング図（その１）である。
【図３】従来の同期信号処理回路における課題を説明するためのタイミング図（その２）である。
【図４】従来の同期信号処理回路における課題を説明するための図である。
【図５】本発明に係る同期信号処理回路の一実施例を示すブロック図である。
【図６】図５の同期信号処理回路の動作を説明するためのタイミング図（その１）である。
【図７】図５の同期信号処理回路の動作を説明するためのタイミング図（その２）である。
【図８】図５の同期信号処理回路の動作を説明するためのタイミング図（その３）である。
【図９】図５の同期信号処理回路における水平同期信号分離回路の一例を示すブロック図である。
【図１０】図９の水平同期信号分離回路の動作を説明するためのタイミング図である。
【図１１】図５の同期信号処理回路における垂直同期信号分離回路の一例を示すブロック図である。
【図１２】図１１の垂直同期信号分離回路の動作を説明するためのタイミング図である。
【図１３】図５の同期信号処理回路におけるラインカウンタ、メモリレジスタおよび比較器の一例を示すブロック図である。
【図１４】図１３のラインカウンタ、メモリレジスタおよび比較器の動作を説明するためのタイミング図である。
【図１５】図５の同期信号処理回路におけるラインマスク信号生成回路の一例を示すブロック図である。
【符号の説明】
１…ＴＶチューナ
２…ＲＧＢデコーダ
３…液晶表示ユニット
４…オンスクリーン制御回路
５…映像信号合成回路
１０…ＶＴＲ
１１…アンテナ（ダイバーシティアンテナ）
３１…液晶表示部
３２…同期信号処理および液晶制御部
１００…同期信号処理回路
１０１…水平同期信号分離回路
１０２…垂直同期信号分離回路
１０３…ラインカウンタ
１０４…波形成形器
１０５…メモリレジスタ
１０６…比較器
１０７…ラインマスク信号生成回路
１０８…論理ゲート（ＡＮＤゲート）
ＣＳＹＮＣ…複合同期信号
ＨＳＹＮＣ…水平同期信号
ＶＳＹＮＣ…垂直同期信号
【図１】
0004472098.tif 000002
【図２】
0004472098.tif 000003
【図３】
0004472098.tif 000004
【図４】
0004472098.tif 000005
【図５】
0004472098.tif 000006
【図６】
0004472098.tif 000007
【図７】
0004472098.tif 000008
【図８】
0004472098.tif 000009
【図９】
0004472098.tif 000010
【図１０】
0004472098.tif 000011
【図１１】
0004472098.tif 000012
【図１２】
0004472098.tif 000013
【図１３】
0004472098.tif 000014
【図１４】
0004472098.tif 000015
【図１５】
0004472098.tif 000016